(57)【特許請求の範囲】
【請求項１】
着色剤、水および水溶性有機溶剤を含むインクジェット記録用水性インクであって、
前記着色剤が、下記の染料（１）および染料（２）を含み、
前記水性インクにおける前記染料（１）と前記染料（２）との重量比が、染料（１）：染料（２）＝７０：３０〜９５：５であり、
前記水性インク全量に対し、前記染料（１）と前記染料（２）との合計配合量が、２重量％〜６重量％であることを特徴とするインクジェット記録用水性インク。
染料（１）：一般式（１）で表される染料
染料（２）：Ｃ．Ｉ．ダイレクトブルー１９９
【化１】
0005440849.tif 000015
一般式（１）において、
環Ａ１、Ａ２およびＡ３は、それぞれ、ベンゼン環、２，３−ピリジン環および３，２−ピリジン環からなる群から選択される少なくとも一つであり、且つ、環Ａ１、Ａ２およびＡ３の少なくとも一つは、２，３−ピリジン環または３，２−ピリジン環であり、環Ａ１、Ａ２およびＡ３は同一でも異なっていてもよく、
ｌは、０≦ｌ≦３．０を満たし、ｍは、０．２≦ｍ≦１．８を満たし、ｎは、０．８≦ｎ≦２．２を満たし、且つ、ｌ、ｍおよびｎは、０≦ｌ＋ｍ＋ｎ≦４を満たし、
ｚは、１≦ｚ≦３を満たす整数であり、
Ｒ１は、炭素原子数１〜６の直鎖アルキレン基である。
【請求項２】
インクジェット記録用水性インクを含むインクカートリッジであって、前記水性インクが、請求項１記載のインクジェット記録用水性インクであることを特徴とするインクカートリッジ。
【請求項３】
インク収容部およびインク吐出手段を含み、前記インク収容部に収容されたインクを前記インク吐出手段によって吐出するインクジェット記録装置であって、前記インク収容部に、請求項２記載のインクカートリッジが収容されていることを特徴とするインクジェット記録装置。
【発明の詳細な説明】
【技術分野】
【０００１】
本発明は、インクジェット記録用水性インク、インクカートリッジおよびインクジェット記録装置に関する。
【背景技術】
【０００２】
従来から、インクジェット記録用シアンインクとして、Ｃ．Ｉ．アシッドブルー７４およびＣ．Ｉ．アシッドブルー９等のシアン染料を含むインクが知られている。しかし、前記シアン染料は、耐光性が充分でない。このため、市販のインクジェット記録用シアンインクには、Ｃ．Ｉ．ダイレクトブルー８６およびＣ．Ｉ．ダイレクトブルー１９９等の銅フタロシアニン系染料が広く用いられている。これらの一般的な銅フタロシアニン系染料は、マゼンタ染料やイエロー染料と比べても耐光性に優れるものの、オゾンとの接触により退色・変色し易く、記録物に色変化や光学濃度の低下を生じさせるという問題がある。このため、耐オゾン性を向上させた銅フタロシアニン系染料が提案されている（特許文献１）。
【０００３】
前記シアンインクには、耐光性、耐オゾン性に優れていることに加え、発色性、ブロンジングにも優れていることが求められる。しかしながら、従来のシアンインクには、前記すべての性能を満たすものがなかった。なお、前記ブロンジングとは、染料の会合または凝集により、光沢紙等の被記録媒体表面において、金属光沢のようなギラツキ（乱反射）が生じる現象である。
【先行技術文献】
【特許文献】
【０００４】
【特許文献１】特開平３−１０３４８４号公報
【発明の概要】
【発明が解決しようとする課題】
【０００５】
そこで、本発明は、耐光性および耐オゾン性に優れ、且つ、発色性およびブロンジングにも優れるインクジェット記録用水性インクを提供することを目的とする。
【課題を解決するための手段】
【０００６】
前記目的を達成するために、本発明のインクジェット記録用水性インクは、着色剤、水および水溶性有機溶剤を含むインクジェット記録用水性インクであって、
前記着色剤が、下記の染料（１）および染料（２）を含むことを特徴とする。
染料（１）：一般式（１）で表される染料
染料（２）：Ｃ．Ｉ．ダイレクトブルー１９９
【化１】
0005440849.tif 000002
一般式（１）において、
環Ａ１、Ａ２およびＡ３は、それぞれ、ベンゼン環、２，３−ピリジン環および３，２−ピリジン環からなる群から選択される少なくとも一つであり、且つ、環Ａ１、Ａ２およびＡ３の少なくとも一つは、２，３−ピリジン環または３，２−ピリジン環であり、環Ａ１、Ａ２およびＡ３は同一でも異なっていてもよく、
ｌは、０≦ｌ≦４を満たし、ｍは、０≦ｍ≦４を満たし、ｎは、０≦ｎ≦４を満たし、且つ、ｌ、ｍおよびｎは、０≦ｌ＋ｍ＋ｎ≦４を満たし、
ｚは、１≦ｚ≦３を満たす整数であり、
Ｒ１は、炭素原子数１〜６の直鎖アルキル基である。
【発明の効果】
【０００７】
前記目的を達成するために、本発明者等は、一連の研究を重ねたところ、インクジェット記録用水性インクに前記染料（１）と前記染料（２）とを組み合わせて用いれば、発色性、ブロンジング、耐オゾン性および耐光性のすべての性能に優れることを見出し、本発明に至った。
【図面の簡単な説明】
【０００８】
【図１】図１は、本発明のインクジェット記録装置の構成の一例を示す概略斜視図である。
【発明を実施するための形態】
【０００９】
本発明のインクジェット記録用水性インク（以下、単に「水性インク」または「インク」と言うことがある）について説明する。本発明の水性インクは、着色剤、水および水溶性有機溶剤を含む。前述のとおり、前記着色剤は、前記染料（１）および前記染料（２）を含む。
【００１０】
前述のとおり、前記染料（１）は、一般式（１）で表される染料である。
【００１１】
前述のとおり、一般式（１）において、
環Ａ１、Ａ２およびＡ３は、それぞれ、ベンゼン環、２，３−ピリジン環および３，２−ピリジン環からなる群から選択される少なくとも一つであり、且つ、環Ａ１、Ａ２およびＡ３の少なくとも一つは、２，３−ピリジン環または３，２−ピリジン環であり、環Ａ１、Ａ２およびＡ３は同一でも異なっていてもよく、
ｌは、０≦ｌ≦４を満たし、ｍは、０≦ｍ≦４を満たし、ｎは、０≦ｎ≦４を満たし、且つ、ｌ、ｍおよびｎは、０≦ｌ＋ｍ＋ｎ≦４を満たし、
ｚは、１≦ｚ≦３を満たす整数であり、
Ｒ１は、炭素原子数１〜６の直鎖アルキル基である。
一般式（１）で表される化合物は、環Ａ１、Ａ２およびＡ３がすべて２，３−ピリジン環または３，２−ピリジン環である化合物であってもよいし、環Ａ１、Ａ２およびＡ３のうち二つが２，３−ピリジン環または３，２−ピリジン環であり、残り一つがベンゼン環である化合物であってもよいし、環Ａ１、Ａ２およびＡ３のうち一つが２，３−ピリジン環または３，２−ピリジン環であり、残り二つがベンゼン環である化合物であってもよい。
前記染料（１）は、単一の前記化合物で構成されていてもよいし、２種以上の前記化合物を含む混合物であってもよい。
【００１２】
前記染料（１）の好ましい具体例としては、化学式（１−Ａ）〜（１−Ｆ）で表される化合物があげられる。
【００１３】
【化２】
0005440849.tif 000003
化学式（１−Ａ）において、
環Ａ１、Ａ２およびＡ３は、それぞれ独立に、２，３−ピリジン環および／または３，２−ピリジン環であり、
ｌは、１．０であり、ｍは、１．８であり、ｎは、１．２であり、ｌ、ｍおよびｎは、混合物における平均値である。
【００１４】
【化３】
0005440849.tif 000004
化学式（１−Ｂ）において、
環Ａ１およびＡ２は、それぞれ独立に、２，３−ピリジン環および／または３，２−ピリジン環であり、環Ａ３は、ベンゼン環であり、
ｌは、２．４であり、ｍは、０．６であり、ｎは、１．０であり、ｌ、ｍおよびｎは、混合物における平均値である。
【００１５】
【化４】
0005440849.tif 000005
化学式（１−Ｃ）において、
環Ａ１、Ａ２およびＡ３は、それぞれ独立に、２，３−ピリジン環および／または３，２−ピリジン環であり、
ｌは、３．０であり、ｍは、０．２であり、ｎは、０．８であり、ｌ、ｍおよびｎは、混合物における平均値である。
【００１６】
【化５】
0005440849.tif 000006
化学式（１−Ｄ）において、
環Ａ１は、ベンゼン環であり、環Ａ２およびＡ３は、それぞれ独立に、２，３−ピリジン環および／または３，２−ピリジン環であり、
ｌは、１．８であり、ｍは、０．９であり、ｎは、１．３であり、ｌ、ｍおよびｎは、混合物における平均値である。
【００１７】
【化６】
0005440849.tif 000007
化学式（１−Ｅ）において、
環Ａ１、Ａ２およびＡ３は、それぞれ独立に、２，３−ピリジン環および／または３，２−ピリジン環であり、
ｌは、１．１であり、ｍは、１．３であり、ｎは、１．６であり、ｌ、ｍおよびｎは、混合物における平均値である。
【００１８】
【化７】
0005440849.tif 000008
化学式（１−Ｆ）において、
環Ａ１およびＡ３は、それぞれ独立に、２，３−ピリジン環および／または３，２−ピリジン環であり、環Ａ２は、ベンゼン環であり、
ｌは、０であり、ｍは、１．８であり、ｎは、２．２であり、ｌ、ｍおよびｎは、混合物における平均値である。
【００１９】
前記染料（１）は、従来公知の方法で製造できる。前記染料（１）の製造方法は、例えば、つぎのとおりである。
【００２０】
すなわち、まず、構造式（１１）で表される銅ポルフィラジン化合物を合成する。構造式（１１）で表される銅ポルフィラジン化合物は、例えば、触媒および銅化合物の存在下、含窒素複素芳香環（２，３−ピリジン環および３，２−ピリジン環の少なくとも一方）ジカルボン酸誘導体とフタル酸誘導体とを反応させることにより得られる。前記含窒素複素芳香環ジカルボン酸誘導体と前記フタル酸誘導体の反応のモル比を変えることにより、Ａ１、Ａ２およびＡ３の前記含窒素複素芳香環の数とベンゼン環の数を調整することが可能である。前記含窒素複素芳香環ジカルボン酸としては、隣接する２つの位置にそれぞれカルボキシル基、またはそれから誘導される反応性の基（例えば、酸アミド基、イミド基、酸無水物基、カルボニトリル基等）を有する６員環含窒素複素芳香環ジカルボン酸誘導体等があげられる。銅ポルフィラジン化合物の合成方法としては、例えば、ニトリル法、ワイラー法等の従来公知の方法があげられる。
【００２１】
【化８】
0005440849.tif 000009
【００２２】
つぎに、構造式（１１）で表される銅ポルフィラジン化合物を、クロロスルホン酸中でクロロスルホン化するか、硫酸または発煙硫酸中でスルホン化した後、クロロ化剤でスルホ基をクロロスルホ基に変換すること等によって、構造式（１２）で表される銅クロロスルホニルポルフィラジン化合物を得る。
【００２３】
【化９】
0005440849.tif 000010
【００２４】
つぎに、得られた銅クロロスルホニルポルフィラジン化合物と、構造式（１３）で表される有機アミンおよびアミノ化剤（アンモニアまたはアンモニア発生化合物）とを、水溶媒中で、おおよそｐＨ８〜１０、５℃〜７０℃、１時間〜２０時間反応させることにより、前記染料（１）を得ることができる。前記アミノ化剤としては、アンモニアまたは前記反応に際してアンモニアを発生する化合物（アンモニア発生化合物）を使用でき、例えば、塩化アンモニウム、硫酸アンモニウム等のアンモニウム塩、尿素、アンモニア水、アンモニアガス等があげられる。構造式（１３）で表される有機アミンにおいて、ＸおよびＹは、それぞれ、水素原子またはナトリウムである。前記ＸおよびＹは、前記水溶媒中で電離して、イオン（Ｈ＋またはＮａ＋）となっていてもよい。前記有機アミンは、従来公知の方法で製造できる。
【００２５】
【化１０】
0005440849.tif 000011
【００２６】
このようにして得られた前記染料（１）は、酸析または塩析後、ろ過等により分離できる。塩析は、例えば、酸性〜アルカリ性、好ましくは、ｐＨ１〜１１で行うことが好ましい。塩析の際の温度は、特に限定されないが、例えば、４０℃〜８０℃、好ましくは、５０℃〜７０℃である。
【００２７】
前述の方法で合成される前記染料（１）は、遊離酸またはその塩の形で得られる。遊離酸とするには、例えば、酸析すればよい。塩とするには、例えば、塩析するか、遊離酸としたものに所望の有機または無機の塩基を添加する通常の塩交換法を用いればよい。
【００２８】
前記染料（１）の配合量は、特に制限されない。水性インクに前記染料（１）を含ませることで、耐オゾン性および耐光性を向上させることができる。前記染料（１）の配合量は、前記水性インク全量に対し、例えば、０．１重量％〜１０重量％であり、好ましくは、１．４重量％〜５．７重量％であり、より好ましくは、１．６重量％〜４．８重量％である。
【００２９】
前記染料（２）のＣ．Ｉ．ダイレクトブルー１９９は、例えば、構造式（２）で表される染料である。
【００３０】
【化１１】
0005440849.tif 000012
構造式（２）において、
Ｐｃ（Ｃｕ）は、一般式（Ｐｃ）で表される銅フタロシアニン核であり、
ＳＯ３ＮＨ４基およびＳＯ２ＮＨ２基は、一般式（Ｐｃ）で表される銅フタロシアニン核中の４つのベンゼン環Ａ、Ｂ、ＣおよびＤのいずれかに存在する。
【００３１】
【化１２】
0005440849.tif 000013
【００３２】
前記染料（２）の配合量は、特に制限されない。水性インクに前記染料（２）を含ませることで、発色性の向上およびブロンジングの低減をさせることができる。前記染料（２）の配合量は、前記水性インク全量に対し、例えば、０．０５重量％〜５重量％であり、好ましくは、０．１重量％〜１．８重量％であり、より好ましくは、０．２５重量％〜１．５重量％である。
【００３３】
前記水性インクにおける前記染料（１）と前記染料（２）との重量比は、染料（１）：染料（２）＝７０：３０〜９５：５であることが好ましい。前記重量比を前記範囲とすることで、発色性および耐光性に加え、ブロンジングと耐オゾン性とが共に極めて良好な水性インクを得ることができる。
【００３４】
前記染料（１）と前記染料（２）との合計配合量は、特に制限されないが、前記水性インク全量に対し、２重量％〜６重量％であることが好ましい。前記合計配合量を前記範囲とすることで、発色性、ブロンジング、耐オゾン性、耐光性および噴射安定性の全てが、極めて良好な水性インクを得ることができる。
【００３５】
前記着色剤は、前記染料（１）および前記染料（２）に加え、さらに他の染料および顔料等を含んでもよい。
【００３６】
前記水は、イオン交換水または純水であることが好ましい。前記水性インク全量に対する前記水の配合量（水割合）は、例えば、１０重量％〜９０重量％であり、好ましくは、４０重量％〜８０重量％である。前記水割合は、例えば、他の成分の残部としてもよい。
【００３７】
前記水溶性有機溶剤としては、例えば、インクジェットヘッドのノズル先端部における水性インクの乾燥を防止する湿潤剤および被記録媒体上での乾燥速度を調整する浸透剤があげられる。
【００３８】
前記湿潤剤は、特に限定されず、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール；ジメチルホルムアミド、ジメチルアセトアミド等のアミド；アセトン等のケトン；ジアセトンアルコール等のケトアルコール；テトラヒドロフラン、ジオキサン等のエーテル；ポリアルキレングリコール、アルキレングリコール、グリセリン等の多価アルコール；２−ピロリドン；Ｎ−メチル−２−ピロリドン；１，３−ジメチル−２−イミダゾリジノン等があげられる。前記ポリアルキレングリコールは、例えば、ポリエチレングリコール、ポリプロピレングリコール等があげられる。前記アルキレングリコールは、例えば、エチレングリコール、プロピレングリコール、ブチレングリコール、ジエチレングリコール、トリエチレングリコール、ジプロピレングリコール、トリプロピレングリコール、チオジグリコール、ヘキシレングリコール等があげられる。これらの湿潤剤は、１種類を単独で用いてもよいし、２種類以上を併用してもよい。これらの中で、アルキレングリコール、グリセリン等の多価アルコールが好ましい。
【００３９】
前記水性インク全量に対する前記湿潤剤の配合量（湿潤剤割合）は、例えば、０重量％〜９５重量％であり、好ましくは、５重量％〜８０重量％であり、さらに好ましくは、５重量％〜５０重量％である。
【００４０】
前記浸透剤は、例えば、グリコールエーテルがあげられる。前記グリコールエーテルは、例えば、エチレングリコールメチルエーテル、エチレングリコールエチルエーテル、エチレングリコール−ｎ−プロピルエーテル、ジエチレングリコールメチルエーテル、ジエチレングリコールエチルエーテル、ジエチレングリコール−ｎ−プロピルエーテル、ジエチレングリコール−ｎ−ブチルエーテル、ジエチレングリコール−ｎ−ヘキシルエーテル、トリエチレングリコールメチルエーテル、トリエチレングリコールエチルエーテル、トリエチレングリコール−ｎ−プロピルエーテル、トリエチレングリコール−ｎ−ブチルエーテル、プロピレングリコールメチルエーテル、プロピレングリコールエチルエーテル、プロピレングリコール−ｎ−プロピルエーテル、プロピレングリコール−ｎ−ブチルエーテル、ジプロピレングリコールメチルエーテル、ジプロピレングリコールエチルエーテル、ジプロピレングリコール−ｎ−プロピルエーテル、ジプロピレングリコール−ｎ−ブチルエーテル、トリプロピレングリコールメチルエーテル、トリプロピレングリコールエチルエーテル、トリプロピレングリコール−ｎ−プロピルエーテルおよびトリプロピレングリコール−ｎ−ブチルエーテル等があげられる。前記浸透剤は、１種類を単独で用いてもよいし、２種類以上を併用してもよい。
【００４１】
前記水性インク全量に対する前記浸透剤の配合量（浸透剤割合）は、例えば、０重量％〜２０重量％である。前記浸透剤割合を前記範囲とすることで、前記水性インクの被記録媒体への浸透性を、より好適なものとできる。前記浸透剤割合は、好ましくは、０．１重量％〜１５重量％であり、より好ましくは、０．５重量％〜１０重量％である。
【００４２】
前記水性インクは、必要に応じて、さらに、従来公知の添加剤を含んでもよい。前記添加剤としては、例えば、界面活性剤、ｐＨ調整剤、粘度調整剤、表面張力調整剤、防黴剤等があげられる。前記粘度調整剤は、例えば、ポリビニルアルコール、セルロース、水溶性樹脂等があげられる。
【００４３】
前記水性インクは、例えば、着色剤、水および水溶性有機溶剤と、必要に応じて他の添加成分とを、従来公知の方法で均一に混合し、フィルタ等で不溶解物を除去することにより調製できる。
【００４４】
本発明の水性インクは、例えば、水性シアンインクとして用いることができる。ただし、本発明は、これに限定されない。本発明の水性インクは、前記染料（１）および前記染料（２）以外の着色剤を用いることにより、シアン以外の色の水性インクとすることもできる。
【００４５】
つぎに、本発明のインクカートリッジについて説明する。本発明のインクカートリッジは、インクジェット記録用水性インクを含むインクカートリッジであって、前記水性インクが、本発明のインクジェット記録用水性インクであることを特徴とする。前記インクカートリッジの本体としては、例えば、従来公知のものを使用できる。
【００４６】
つぎに、本発明のインクジェット記録装置について説明する。本発明のインクジェット記録装置は、インク収容部およびインク吐出手段を含み、前記インク収容部に収容されたインクを前記インク吐出手段によって吐出するインクジェット記録装置であって、前記インク収容部に、本発明のインクカートリッジが収容されていることを特徴とする。これを除き、本発明のインクジェット記録装置の構成は、例えば、従来公知のインクジェット記録装置と同様であってもよい。
【００４７】
図１に、本発明のインクジェット記録装置の一例の構成を示す。図示のとおり、このインクジェット記録装置１は、４つのインクカートリッジ２と、インク吐出手段（インクジェットヘッド）３と、ヘッドユニット４と、キャリッジ５と、駆動ユニット６と、プラテンローラ７と、パージ装置８とを主要な構成部材として含む。
【００４８】
前記４つのインクカートリッジ２は、イエロー、マゼンタ、シアンおよびブラックの４色の水性インクを、それぞれ１色ずつ含む。例えば、前記水性シアンインクを含むインクカートリッジが、本発明のインクカートリッジである。前記インクジェットヘッド３は、記録紙等の被記録媒体Ｐに記録を行う。前記ヘッドユニット４は、前記インクジェットヘッド３を備えている。前記キャリッジ５には、前記４つのインクカートリッジ２および前記ヘッドユニット４が搭載される。前記駆動ユニット６は、前記キャリッジ５を直線方向に往復移動させる。前記駆動ユニット６としては、例えば、従来公知のものを使用できる（例えば、特開２００８−２４６８２１号公報参照）。前記プラテンローラ７は、前記キャリッジ５の往復方向に延び、前記インクジェットヘッド３と対向して配置されている。前記記録は、印字、印画、印刷等を含む。
【００４９】
前記被記録媒体Ｐは、このインクジェット記録装置１の側方又は下方に設けられた給紙カセット（図示せず）から給紙される。前記被記録媒体Ｐは、前記インクジェットヘッド３と、前記プラテンローラ７との間に導入される。すると、前記被記録媒体Ｐに、前記インクジェットヘッド３から吐出されるインクにより所定の記録がなされる。前記被記録媒体Ｐは、その後、前記インクジェット記録装置１から排紙される。図１においては、前記被記録媒体Ｐの給紙機構及び排紙機構の図示を省略している。
【００５０】
前記パージ装置８は、前記インクジェットヘッド３の内部に溜まる気泡等を含んだ不良インクを吸引する。前記パージ装置８としては、例えば、従来公知のものを使用できる（例えば、特開２００８−２４６８２１号公報参照）。
【００５１】
前記パージ装置８の前記プラテンローラ７側の位置には、前記パージ装置８に隣接してワイパ部材２０が配設されている。前記ワイパ部材２０は、へら状に形成されており、前記キャリッジ５の移動に伴って、前記インクジェットヘッド３のノズル形成面を拭うものである。図１において、キャップ１８は、インクの乾燥を防止するため、記録が終了すると前記リセット位置に戻される前記インクジェットヘッド３の複数のノズルを覆うものである。
【００５２】
前記インクジェット記録装置において、前記４つのインクカートリッジは、複数のキャリッジに搭載されていてもよい。また、前記インクカートリッジは、前記キャリッジには搭載されず、インクジェット記録装置内に配置、固定されていてもよい。この態様においては、例えば、前記インクカートリッジと、前記キャリッジに搭載された前記ヘッドユニットとが、チューブ等により連結され、前記インクカートリッジから前記ヘッドユニットに前記インクが供給される。
【実施例】
【００５３】
つぎに、本発明の実施例について比較例と併せて説明する。なお、本発明は、下記の実
施例および比較例により限定および制限されない。
【００５４】
［実施例１〜１４および比較例１〜６］
インク組成成分（表１）を、均一に混合した。その後、得られた混合物を、東洋濾紙（株）製の親水性ポリテトラフルオロエチレン（ＰＴＦＥ）タイプメンブレンフィルタ（孔径０．２０μｍ）を用いてろ過することで、実施例１〜１４および比較例１〜６のインクジェット記録用水性インクを得た。なお、表１において、染料（１−Ａ）〜（１−Ｆ）は、それぞれ、化学式（１−Ａ）〜（１−Ｆ）で表される化合物である。
【００５５】
実施例および比較例の水性インクについて、（ａ）発色性評価、（ｂ）ブロンジング評価、（ｃ）耐オゾン性評価、（ｄ）耐光性評価、（ｅ）噴射安定性評価および（ｆ）総合評価を、下記の方法により行った。なお、（ａ）発色性評価、（ｂ）ブロンジング評価、（ｃ）耐オゾン性評価および（ｄ）耐光性評価に用いるサンプルは、つぎのようにして準備した。
【００５６】
すなわち、まず、実施例および比較例の水性インクを、インクカートリッジに充填した。ついで、前記インクカートリッジを、ブラザー工業（株）製のインクジェットプリンタ搭載デジタル複合機ＤＣＰ−３８５Ｃに装着した。つぎに、ブラザー工業（株）製の写真光沢紙ＢＰ７１ＧＡに前記水性インクのグラデーションサンプルをプリントした。
【００５７】
（ａ）発色性評価
前記グラデーションサンプルを、目視にて観察し、シアン色が充分に表現されているか否かを、下記の評価基準に従って評価した。
【００５８】
発色性評価  評価基準
Ａ：シアン色を充分に表現できている。
Ｃ：シアン色を表現できていない。
【００５９】
（ｂ）ブロンジング評価
前記グラデーションサンプルを、目視にて観察し、ブロンジングが発生しているか否かを、下記の評価基準に従って評価した。
【００６０】
ブロンジング評価  評価基準
Ａ：全くブロンジングが見られない。
Ｂ：僅かにブロンジングが見られるが実用上問題ないレベルである。
Ｃ：著しいブロンジングが見られる。
【００６１】
（ｃ）耐オゾン性評価
前記グラデーションサンプルのうち、初期ＯＤ値が１．０のパッチを評価パッチとして用いた。前記ＯＤ値は、Ｇｒｅｔａｇ  Ｍａｃｂｅｔｈ社製の分光測色計Ｓｐｅｃｔｒｏｌｉｎｏ（光源：Ｄ６５；視野：２°；ｓｔａｔｕｓ  Ａ）により測定した。スガ試験機（株）製のオゾンウェザーメーターＯＭＳ−Ｈを用いて、オゾン濃度１ｐｐｍ、槽内温度２４℃、槽内相対湿度６０％の条件下、前記パッチを４０時間放置した。ついで、前記放置後の前記パッチのＯＤ値を、前述と同様にして、測定した。つぎに、下記式（Ｉ）によりＯＤ値減少率（％）を求め、耐オゾン性を、下記の評価基準に従って評価した。なお、前記ＯＤ値減少率が小さいほど、画質の劣化が少なく、耐オゾン性に優れていたこととなる。
ＯＤ値減少率（％）＝｛（Ｘ−Ｙ）／Ｘ｝×１００      ・・・（Ｉ）
Ｘ：１．０（初期ＯＤ値）
Ｙ：放置後のＯＤ値
【００６２】
耐オゾン性評価  評価基準
Ａ：ＯＤ値減少率が、２０％未満
Ｂ：ＯＤ値減少率が、２０％以上３０％未満
Ｃ：ＯＤ値減少率が、３０％以上４０％未満
Ｄ：ＯＤ値減少率が、４０％以上
【００６３】
（ｄ）耐光性評価
前記グラデーションサンプルのうち、初期ＯＤ値が１．０のパッチを評価パッチとして用いた。前記ＯＤ値は、Ｇｒｅｔａｇ  Ｍａｃｂｅｔｈ社製の分光測色計Ｓｐｅｃｔｒｏｌｉｎｏ（光源：Ｄ６５；視野：２°；ｓｔａｔｕｓ  Ａ）により測定した。スガ試験機（株）製のスーパーキセノンウェザーメーターＳＸ７５を用いて、槽内温度２３℃、槽内相対湿度５０％、照度８１ｋｌｘの条件下、前記パッチにキセノンランプ光を１００時間照射した。ついで、前記照射後の前記パッチのＯＤ値を、前述と同様にして、測定した。つぎに、下記式（ＩＩ）によりＯＤ値減少率（％）を求め、耐光性を、下記の評価基準に従って評価した。なお、前記ＯＤ値減少率が小さいほど、画質の劣化が少なく、耐光性に優れていたこととなる。
ＯＤ値減少率（％）＝｛（Ｘ−Ｙ）／Ｘ｝×１００      ・・・（ＩＩ）
Ｘ：１．０（初期ＯＤ値）
Ｙ：照射後のＯＤ値
【００６４】
耐光性評価  評価基準
Ａ：ＯＤ値減少率が、２０％未満
Ｂ：ＯＤ値減少率が、２０％以上３０％未満
Ｃ：ＯＤ値減少率が、３０％以上４０％未満
Ｄ：ＯＤ値減少率が、４０％以上
【００６５】
（ｅ）噴射安定性評価
ブラザー工業（株）製のインクジェットプリンタ搭載デジタル複合機ＤＣＰ−３８５Ｃを使用し、富士通コワーコ（株）製のオフィス用紙Ｗ（記録用紙）上に、１億ドット（約３万枚）の連続記録を行った。前記連続記録の結果を、下記の評価基準に従って評価した。不吐出とは、インクジェットヘッドのノズルが目詰まりし、前記水性インクが吐出されない状態である。吐出曲がりとは、インクジェットヘッドのノズルの一部が目詰まりし、前記水性インクが、前記記録用紙に対して垂直に吐出されず、斜めに吐出される状態である。
【００６６】
噴射安定性評価  評価基準
Ａ：連続記録中において、不吐出および吐出曲がりが全くなかった。
Ｂ：連続記録中において、不吐出若しくは吐出曲がりが僅かにあったが、前記不吐出若しくは吐出曲がりが、共に５回以内のパージによって回復した。
Ｃ：連続記録中において、不吐出および吐出曲がりが多数有り、前記不吐出および吐出曲がりが、共に５回のパージでは回復しなかった。
【００６７】
（ｆ）総合評価
各水性インクについて、前記（ａ）〜（ｅ）の結果から、下記の評価基準に従って総合評価を行った。
【００６８】
総合評価  評価基準
Ｇ  ：すべての評価結果がＡまたはＢであった。
ＮＧ：評価結果のいずれかにＣまたはＤがあった。
【００６９】
実施例および比較例の水性インクの組成および評価結果を、表１に示す。
【００７０】
【表１】
0005440849.tif 000014
【００７１】
表１に示すとおり、染料（１）および染料（２）を組み合わせて用いた実施例では、評価結果が、良好であった。染料（１）と染料（２）との重量比以外は同条件とした実施例７〜１０では、染料（１）：染料（２）＝７０：３０〜９５：５（重量比）である実施例８および９において、ブロンジングと、耐オゾン性とが、共に極めて良好であった。染料合計配合量以外は同条件である実施例１１〜１４では、染料合計配合量が２重量％〜６重量％とした実施例１２および１３において、ブロンジング、耐オゾン性および噴射安定性が、極めて良好であった。
【００７２】
一方、染料（２）を含まない比較例１では、発色性およびブロンジングが劣っていた。染料（１）を含まない比較例２では、耐オゾン性が劣っていた。染料（２）に代えてＣ．Ｉ．アシッドブルー９を用いた比較例３では、耐オゾン性および耐光性が著しく劣っていた。染料（２）に代えてＣ．Ｉ．アシッドブルー７４を用いた比較例４では、発色性が劣り、耐オゾン性および耐光性が著しく劣っていた。染料（１）に代えてＣ．Ｉ．アシッドブルー９を用いた比較例５では、耐オゾン性および耐光性が著しく劣っていた。染料（１）に代えてＣ．Ｉ．アシッドブルー７４を用いた比較例６では、発色性が劣り、耐オゾン性および耐光性が著しく劣っていた。
【産業上の利用可能性】
【００７３】
以上のように、本発明の水性インクは、発色性、ブロンジング、耐オゾン性および耐光性のすべての性能に優れるものである。本発明の水性インクの用途は、特に限定されず、各種のインクジェット記録に広く適用可能である。
【符号の説明】
【００７４】
１          インクジェット記録装置
２          インクカートリッジ
３          インク吐出手段（インクジェットヘッド）
４          ヘッドユニット
５          キャリッジ
６          駆動ユニット
７          プラテンローラ
８          パージ装置
【図１】
0005440849.tif 000016